(57)【要約】【課題】受信信号強度のばらつきを抑えながら、無線タグのパラメータ設定通信を確実に行うこと。【解決手段】第３の送信手段３２と、第３の受信手段３１と、前記第３の受信手段３１への信号を減衰する減衰手段３０と、全体を制御する第３の制御手段３４とを具備したパラメータ設定端末３において、定期的に固有のＩＤ情報を、前記第３の受信手段３１から受信する際には、前記減衰手段３０を経由しておき、前記第３の送信手段３２によりパラメータ設定信号を送信した際には次に定期的な前記固有のＩＤ情報を受信するまでは、前記減衰器３０を経由せずに前記第３の受信手段３１で受信する。【選択図】図３
2009141650.tif 000002
【特許請求の範囲】
【請求項１】
第３の送信手段と、第３の受信手段と、前記第３の受信手段への信号を減衰する減衰手段と、全体を制御する第３の制御手段とを具備したパラメータ設定端末において、
定期的に固有のＩＤ情報を、前記第３の受信手段から受信する際には、前記減衰手段を経由しておき、前記第３の送信手段によりパラメータ設定信号を送信した際には次に定期的な前記固有のＩＤ情報を受信するまでは、前記減衰器を経由せずに前記第３の受信手段で受信するパラメータ設定端末。
【請求項２】
前記第３の受信手段が電界強度測定手段を具備し、前記第３の受信手段が受信したＩＤ情報の電界強度を前記電界強度測定手段で測定し、
予め設定された電界強度よりも高い場合は前記第３の送信手段からパラメータ設定要求を送信してパラメータ設定を継続し、
予め設定された電界強度よりも低い場合は前記第３の送信手段からパラメータ設定要求を送信せずにパラメータ設定を中止する請求項１記載のパラメータ設定端末。
【請求項３】
請求項１〜２のいずれか１項に記載の無線タグにおいて、少なくともひとつの動作をコンピュータに実行させるためのプログラム。
【発明の詳細な説明】
【技術分野】
【０００１】
本発明は、無線タグを用いて例えば無線タグから一定距離に入るとその場所に関する情報を使用者に通知する無線タグのパラメータを設定する端末に関するものである。
【背景技術】
【０００２】
ユビキタス社会が実現されはじめ、無線タグから一定距離（例えば１０メートル以内）に入ると、その場所に関する情報を通知して、道案内、店舗案内、史跡紹介などを行ったり、さらには駅などの公共施設において誘導を行なったりすることが近年提案されており、こういったシステム実現には、無線タグが必須となっている。
【０００３】
無線タグは設置場所ごとに、その場所に関する情報を取得するために用いるので、無線タグから例えば１０メートル以内で、その無線タグを検知するといった距離制御が必要となっており、携帯端末、あるいはパラメータ設定端末などの受信機器においては、それぞれ固有の受信強度ばらつきに対応する仕組み（例えば減衰手段、さらに実際には段階的な減衰が可能な減衰手段）が必要となってくる。
【０００４】
そのために、既に機器ごとの受信強度のばらつきに対応する手法が提案されている（例えば、特許文献１参照）。
【０００５】
特許文献１においては、各端末機器において、それぞれの端末機器ごとのばらつきを、予め記憶させておいた標準レベルに置換するという対応（ここでは補正）を行なうことによってばらつきを押さえ込み、位置検出の誤差を少なくするようにしている。
【特許文献１】特開平１１−３５２２０９号公報
【発明の開示】
【発明が解決しようとする課題】
【０００６】
しかしながら、従来の手法では、その伝達距離の精度を向上させるという面で大変有効ながら、無線タグのパラメータ設定（例えば送信頻度）を無線で行ないたい場合には、せっかく届いている電波が減衰手段によって減衰され、充分な電波強度が得られずに、パラメータ設定が途中で中断されてしまうことが起こりうるという課題があった。
【課題を解決するための手段】
【０００７】
そこで、前記の課題を解決するために、パラメータ設定端末は、第３の送信手段と、第３の受信手段と、前記第３の受信手段への信号を減衰する減衰手段と、全体を制御する第３の制御手段とを具備したパラメータ設定端末において、定期的に固有のＩＤ情報を、前記第３の受信手段から受信する際には、前記減衰手段を経由しておき、前記第３の送信手段によりパラメータ設定信号を送信した際には次に定期的な前記固有のＩＤ情報を受信するまでは、前記減衰器を経由せずに前記第３の受信手段で受信するようにした。
【発明の効果】
【０００８】
これにより、通常の動作においては、端末の受信強度のばらつきをなくして、無線タグとの距離精度を向上させるという長所はそのままに、無線タグのパラメータ設定を無線で行ないたい場合には、強力な電波を用いて安定した通信を行うことが出来るので、充分な電波強度が得られ、パラメータ設定が途中で中断されてしまうことを避けることが可能となった。
【発明を実施するための最良の形態】
【０００９】
第１の発明は、パラメータ設定端末において、第３の送信手段と、第３の受信手段と、前記第３の受信手段への信号を減衰する減衰手段と、全体を制御する第３の制御手段とを具備したパラメータ設定端末において、定期的に固有のＩＤ情報を、前記第３の受信手段から受信する際には、前記減衰手段を経由しておき、前記第３の送信手段によりパラメータ設定信号を送信した際には次に定期的な前記固有のＩＤ情報を受信するまでは、前記減衰器を経由せずに前記第３の受信手段で受信するようにした。
【００１０】
これにより、通常の動作においては、端末の受信強度のばらつきをなくして、無線タグとの距離精度を向上させるという長所はそのままに、無線タグのパラメータ設定を無線で行ないたい場合には、強力な電波を用いて安定した通信を行うことが出来るので、充分な電波強度が得られ、パラメータ設定が途中で中断されてしまうことを避けることが可能となった。
【００１１】
第２の発明は、特に第１の発明のパラメータ設定端末において、前記第３の受信手段が電界強度測定手段を具備し、前記第３の受信手段が受信したＩＤ情報の電界強度を前記電界強度測定手段で測定し、予め設定された電界強度よりも高い場合は前記第３の送信手段からパラメータ設定要求を送信してパラメータ設定を継続し、予め設定された電界強度よりも低い場合は前記第３の送信手段からパラメータ設定要求を送信せずにパラメータ設定を中止するようにした。
【００１２】
これにより、電波強度が充分ではない環境においては、パラメータ設定を行なわないようにしたので、充分な電波強度が得られずに、パラメータ設定が途中で中断されてしまうことを避けることが出来る。
【００１３】
第３の発明は、特に第１〜２の発明のいずれかの無線タグにおいて、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１４】
以下、本発明の実施の形態について、図面を用いて一実施形態について詳細に説明する。なお、この実施の形態によって本発明が限定されるものではない。
【００１５】
（実施の形態１）
図１は本発明の実施の形態１の無線タグの使用の一例を示す図である。以下、図１を用いて説明していく。
【００１６】
無線タグ１は電池を内蔵したアクティブタグ（無線機）であり、信号機、電柱、門柱、看板、郵便ポスト、照明灯など、ある決まった位置に設置あるいは配置されるような設備などに添付される。
【００１７】
この無線タグ１は一定時間周期（例えば１秒ごと）に固有ＩＤを含む情報を無線にて出力する。携帯端末２は液晶ディスプレイを具備したＰＤＡのような小型かつ携帯可能な端末を想定しており、無線タグ１が定期的に出力する固有ＩＤを含む情報を受信して、そのＩＤに応じて、ＩＤに対応した情報を液晶ディスプレイに表示して、（案内対象者に）ガイダンスなどを行うものである。
【００１８】
無線タグは、それぞれ固有のＩＤを保持しており、場所ごとに異なる無線タグが設置され、それぞれが固有のＩＤを発するので、場所を特定して、その場所に応じた情報をＰＤ
Ａが内部、あるいは外部のデータベースなどから検索して表示することが出来る。
【００１９】
また、このような用途に用いられる無線ＩＣタグは、信号機、電柱、門柱、看板、郵便ポスト、照明灯などのある決まった位置に設置あるいは配置されるが、悪戯などを避けるため、高所で人の手の届かない場所に設置されるのが一般的である。
【００２０】
一方、設置後であっても、無線タグの内部で使用するパラメータ（例えば送信頻度）を変更しようとした場合、パラメータ設定端末を用いて、離れたところから無線でパラメータ設定を行うことが望ましい。
【００２１】
図２は、本発明の実施の形態１の無線タグのパラメータ設定作業の一例を示す図である。図２に示すように、信号機などに設置されている無線タグ（アクティブタグ）１の内部情報であるパラメータを、（パラメータ設定作業者が）パラメータ設定端末３を用いて、設定しようとしているところであり、無線タグ１へのパラメータ設定通信を行なっている点が、図１と異なっている点である。もちろん、パラメータ設定端末３は、通常の携帯端末１の機能も合わせて備えており、パラメータ設定後の動作確認に用いることが出来る。
【００２２】
図３は、無線タグ１とパラメータ設定端末３の内部構成の一例を示す図である。以下、図３を用いて説明していく。
【００２３】
無線タグ（アクティブタグ）１は、第１の受信手段１１と、第１の送信手段１２と、これら全体を制御する第１の制御手段１４とを具備している。この無線タグ１のパラメータ設定に用いられるのが、パラメータ設定端末３であり、第３の送信手段３２と、減衰手段と、第３の受信手段３１と、情報の表示、あるいは入力を行う表示・入力手段３３と、これら全体を制御する第３の制御手段３４とを具備している。また、第３の受信３１は、受信した信号の電界強度を測定する電界強度測定手段３１１を具備している。
【００２４】
無線タグ１のパラメータを変更するために、最初にパラメータ設定作業者はパラメータ設定端末３の表示・入力手段３３を用いて、変更情報を入力する。これにより、パラメータ設定端末３はパラメータ設定を開始しようとするが、定期的に無線タグ１から送信されてくるＩＤ情報を減衰手段３０経由で、第３の受信手段３１で受信、それを電界強度測定手段３１１で受信した電界強度を測定する。その結果、予め設定された電界強度よりも低い場合は、パラメータ設定を行なわない。
【００２５】
もし、予め設定された電界強度よりも高い場合には、それ以後は減衰手段３０を経由させない第３の受信手段３１で直接的に無線タグ１からの信号を受信するようにしてから、パラメータ設定を継続していく。なお、一連の動作については以下で詳しく説明する。
【００２６】
図４はパラメータ設定通信シーケンス（正常シーケンス）の一例を示す図であり、図５はパラメータ設定通信シーケンス（異常シーケンス）の一例を示す図である。
【００２７】
ここで述べている正常シーケンスとは、先ほど述べたパラメータ設定端末３の第３の受信手段３１で受信、電界強度測定手段３１１で受信した電界強度を測定して、予め決められた電界強度よりも高い場合のシーケンスを示している。
【００２８】
逆に、異常シーケンスとは、同様に、電界強度測定手段３１１で受信した電界強度を測定して、予め決められた電界強度よりも低い場合のシーケンスを示している。
【００２９】
まず、図４を用いて正常シーケンスについて説明する。
【００３０】
図４において、無線タグ（アクティブタグ）１からは、定期的に固有ＩＤ１０００を第１の送信手段１２から送信している。この定期的に送られてくる固有ＩＤ１０００を、パラメータ設定端末３は、一旦、減衰手段３０で受け、減衰させた後に第３の受信手段３１で受信している。
【００３１】
パラメータ設定を行う必要がある時には、パラメータ設定端末３の第３の受信手段３１で受信、電界強度測定手段３１１で受信した電界強度を測定して、予め決められた電界強度よりも高いことを確認している。
【００３２】
この固有ＩＤ１０００を受信した後、次の定期的な固有ＩＤ送信２０００を受信するまでの期間に、パラメータ設定要求１００１を無線タグ１に対して送信する。
【００３３】
この送信に対して、無線タグ１から設定可能応答１００２が送られてくるが、第３の制御手段３４は減衰手段３０は動作させないように制御して、無線タグ１からの設定可能応答１００２は、減衰させられずに直接第３の受信手段３１で受信する。
【００３４】
これにより、減衰されない強力な電磁波を用いてパラメータ設定することになる。
【００３５】
次に、パラメータ設定端末３は、第３の送信手段３２から、パラメータ設定１００３を送信、これを受けてパラメータ変更を行なった後に、無線タグ１からは正常終了応答１００４が送られてくるので、同じく減衰されない状態で、第３の受信手段３１で受信して、パラメータ設定シーケンスは終了する。
【００３６】
次に図５を用いて、異常シーケンスについて説明する。図５においても、同様に無線タグ（アクティブタグ）１からは、定期的に固有ＩＤ１０００を第１の送信手段１２から送信している。この定期的に送られてくる固有ＩＤ１０００を、パラメータ設定端末３は、一旦、減衰手段３０で受け、減衰させた後に第３の受信手段３１で受信している。
【００３７】
パラメータ設定を行う必要がある時には、パラメータ設定端末３の第３の受信手段３１で受信、電界強度測定手段３１１で受信した電界強度を測定する。その結果、予め決められた電界強度よりも低い場合には、減衰手段３０を制御することもなしに、パラメータ設定シーケンスを、中止してしまう。このような状態に置いては、無線タグ１と、パラメータ設定端末３との距離が離れすぎている可能性が高く、可能な限り両者の距離を近づけることで、電界強度が大きくなり、パラメータ設定が可能となることが多いので、その旨をパラメータ設定端末３の表示・入力手段３４で表示して、作業者にもっと近づくような指示を出している。
【００３８】
なお、ここまでの説明では、わかりやすいように減衰手段により減衰させる、あるいは、その減衰手段を使用しないといった方法で述べてきたが、当然ながらその方法に限定するわけではなく、入力レベルのしきい値の変更（閾値をあげることは減衰を強くすることと同じ意味）などさまざまな方法が考えられ、ここまで述べてきたことと同様の効果が得られる。
【産業上の利用可能性】
【００３９】
以上のように、本発明のパラメータ設定端末は、通常の動作においては、端末の受信強度のばらつきをなくして、無線タグとの距離精度を向上させるという長所はそのままに、無線タグのパラメータ設定を無線で行ないたい場合には、強力な電波を用いて安定した通信を行うことが出来るので、充分な電波強度が得られ、パラメータ設定が途中で中断されてしまうことを避けることが可能となった。
【図面の簡単な説明】
【００４０】
【図１】本発明の実施の形態１の無線タグの使用の一例を示す図
【図２】本発明の実施の形態１の本発明の実施の形態１の無線タグのパラメータ設定作業の一例を示す図
【図３】本発明の実施の形態１の無線タグ１とパラメータ設定端末３の内部構成の一例を示す図
【図４】本発明の実施の形態１のパラメータ設定通信シーケンス（正常シーケンス）の一例を示す図
【図５】本発明の実施の形態１のパラメータ設定通信シーケンス（異常シーケンス）の一例を示す図
【符号の説明】
【００４１】
１  無線タグ（アクティブタグ）
２  携帯端末
３  パラメータ設定端末
１１  第１の受信手段
１２  第１の送信手段
１４  第１の制御手段
３０  減衰手段
３１  第３の受信手段
３２  第３の送信手段
３３  表示・入力手段
３４  第３の制御手段
３１１  電界強度測定手段
【図１】
2009141650.tif 000003
【図２】
2009141650.tif 000004
【図３】
2009141650.tif 000005
【図４】
2009141650.tif 000006
【図５】
2009141650.tif 000007